(57)【要約】【課題】中継用コネクタを所定箇所に組み付ける場合に、中継用コネクタの傾き発生を低減でき、かつ作業性を向上させる技術を提供する。【解決手段】中継用コネクタユニット１は、電線群を備える油中側メスコネクタ２０が接続される中継用コネクタ本体１０と、中継用コネクタ１０の油中側メスコネクタ２０が接続される側を覆うように配置されるブラケット４０と、を有する。ブラケット４０は、対向する第１及び第２の壁４１、４１のそれぞれに形成された第１取り付け穴４４、４４と、第１及び第２の壁４１、４１に直交する第３の壁４２に形成された第２取り付け穴４７と、を有する。中継用コネクタ本体１０は、筒状の外周面に、第１取り付け穴４４、４４に配置される一対の第１突起部１３、１３と、第２取り付け穴４７に配置される第２突起部１６と、を有する。第１取り付け穴４４、４４には、第１突起部１３、１３が第１取り付け穴４４、４４に配置された状態で第１突起部１３、１３を覆うキャップ５０、５０が配置される。【選択図】図３
2015050163.tif 000002
【特許請求の範囲】
【請求項１】
電線群を備えるコネクタが接続される中継用コネクタと、前記中継用コネクタの前記コネクタが接続される側を覆うように配置されるブラケットと、を有する中継用コネクタユニットであって、
前記ブラケットは、対向する第１及び第２の壁のそれぞれに形成された第１取り付け穴と、前記第１及び第２の壁に直交する第３の壁に形成された第２取り付け穴と、を有し、
前記中継用コネクタは、筒状の外周面に、前記第１取り付け穴に配置される一対の第１突起部と、前記第２取り付け穴に配置される第２突起部と、を有し、
前記第１取り付け穴には、前記第１突起部が前記第１取り付け穴に配置された状態で前記第１突起部を覆うキャップが配置されることを特徴とする中継用コネクタユニット。
【請求項２】
前記第１取り付け穴と前記キャップとの間、及び、前記第２取り付け穴と前記第２突起部との間には、所定量だけ移動可能となるように隙間が設けられていることを特徴とする請求項１に記載の中継用コネクタユニット。
【請求項３】
前記第１取り付け穴には、前記中継用コネクタの前記第２突起部の突出方向と平行に延びて、前記ブラケットの取付時に前記中継用コネクタの前記第１突起部を案内するガイド溝が連通することを特徴とする請求項１又は２に記載の中継用コネクタユニット。
【請求項４】
電線群を備えるコネクタが接続される中継用コネクタと、前記中継用コネクタの前記コネクタが接続される側を覆うように配置されるブラケットと、を有する中継用コネクタユニットであって、
前記ブラケットは、対向する第１及び第２の壁のそれぞれに形成されたブラケット側取り付け穴と、前記第１及び第２の壁に直交する第３の壁に形成されたブラケット側突起部と、を有し、
前記中継用コネクタは、筒状の外周面に、前記ブラケット側取り付け穴に配置される一対のコネクタ側突起部と、前記ブラケット側突起部を収容するコネクタ側取り付け穴と、を有し、
前記ブラケット側取り付け穴には、前記コネクタ側突起部が前記ブラケット側取り付け穴に配置された状態で前記コネクタ側突起部を覆うキャップが配置されることを特徴とする中継用コネクタユニット。
【発明の詳細な説明】
【技術分野】
【０００１】
本発明は、例えば車両等の電気配線に用いられる中継用コネクタユニットに関する。
【背景技術】
【０００２】
自動車等の車両の電気配線には、中継用コネクタが用いられることが多い。図８は、一般的な中継用コネクタユニット（中継用コネクタ）１０１を示した図であって、この中継用コネクタユニット１０１は例えば車両のＡ／Ｔケースに接続される。図８（ａ）に示すような圧着端子付き電線１３０（ハーネス）が取り付けられた油中側メスコネクタ１２０が、中継用コネクタ本体１１０に取り付けられる。更に、図８（ｂ）のように、ブラケット１４０が中継用コネクタ本体１１０に取り付けられる。この種の中継用コネクタユニット１０１では、図８（ｃ）に示すように中継用コネクタユニット１０１の取り回し、特に圧着端子付き電線１３０の配索作業にともない発生するテンション（図中矢印で示す）によって、中継用コネクタ本体１１０が引っ張られて、ブラケット１４０に対して傾きが発生することがある。これは破損や故障の原因となることから避ける必要がある。
【０００３】
そのような課題に対して各種の対策技術が提案されている。例えば、中継用コネクタ本体をブラケットに対し、９０°変位した２箇所に設けた第１のブラケット受け具及び第２のブラケット受け具によって前後、左右方向へ揺動可能かつ弾性的に支持すると共に、上下方向へスライド可能状態で取付ける様にした技術がある（例えば、特許文献１参照）。
【先行技術文献】
【特許文献】
【０００４】
【特許文献１】特開２００９−２７２２２６号公報
【発明の概要】
【発明が解決しようとする課題】
【０００５】
ところで、特許文献１に開示の技術では、一定の効果は期待できるものの不十分なことが多く別の技術が求められていた。また、中継用コネクタを所定の部品ケース（例えば、Ａ／Ｔケース）に組み付ける際に、裏返して組み付け作業を行うことがあるが、そのような場合、作業者に熟練が要求されるとともに、非常に慎重な作業が必要となることから、作業効率が低下することもあり、特許文献１に開示の技術では対応できず、対策技術が求められていた。
【０００６】
本発明の目的は、このような状況に鑑みてなされたものであり、上記課題を解決する技術を提供することにある。
【課題を解決するための手段】
【０００７】
前述した目的を達成するために、本発明は以下に記載の中継用コネクタユニットを提供する。
（１）  電線群を備えるコネクタが接続される中継用コネクタと、前記中継用コネクタの前記コネクタが接続される側を覆うように配置されるブラケットと、を有する中継用コネクタユニットであって、
前記ブラケットは、対向する第１及び第２の壁のそれぞれに形成された第１取り付け穴と、前記第１及び第２の壁に直交する第３の壁に形成された第２取り付け穴と、を有し、
前記中継用コネクタは、筒状の外周面に、前記第１取り付け穴に配置される一対の第１突起部と、前記第２取り付け穴に配置される第２突起部と、を有し、
前記第１取り付け穴には、前記第１突起部が前記第１取り付け穴に配置された状態で前記第１突起部を覆うキャップが配置されることを特徴とする中継用コネクタユニット。
（２）  前記第１取り付け穴と前記キャップとの間、及び、前記第２取り付け穴と前記第２突起部との間には、所定量だけ移動可能となるように隙間が設けられていることを特徴とする（１）に記載の中継用コネクタユニット。
（３）前記第１取り付け穴には、前記中継用コネクタの前記第２突起部の突出方向と平行に延びて、前記ブラケットの取付時に前記中継用コネクタの前記第１突起部を案内するガイド溝が連通することを特徴とする（１）又は（２）に記載の中継用コネクタユニット。
（４）  電線群を備えるコネクタが接続される中継用コネクタと、前記中継用コネクタの前記コネクタが接続される側を覆うように配置されるブラケットと、を有する中継用コネクタユニットであって、
前記ブラケットは、対向する第１及び第２の壁のそれぞれに形成されたブラケット側取り付け穴と、前記第１及び第２の壁に直交する第３の壁に形成されたブラケット側突起部と、を有し、
前記中継用コネクタは、筒状の外周面に、前記ブラケット側取り付け穴に配置される一対のコネクタ側突起部と、前記ブラケット側突起部を収容するコネクタ側取り付け穴と、を有し、
前記ブラケット側取り付け穴には、前記コネクタ側突起部が前記ブラケット側取り付け穴に配置された状態で前記コネクタ側突起部を覆うキャップが配置されることを特徴とする中継用コネクタユニット。
【発明の効果】
【０００８】
本発明によれば、中継用コネクタを所定箇所に組み付ける場合に、中継用コネクタの傾き発生を低減でき、かつ作業性を向上させる技術を提供できる。
【図面の簡単な説明】
【０００９】
【図１】図１は、本発明の一実施形態の中継用コネクタユニットをＸ方向前方から見た斜視図である。
【図２】図２は、図１の中継用コネクタユニットをＸ方向後方から見た斜視図である。
【図３】図３は、図１の中継用コネクタユニットの分解斜視図である。
【図４】図４は、第１取り付け穴に第１突起部が配置された状態を示す斜視図である。
【図５】図５は、中継用コネクタ本体がブラケットに取り付けられた状態における側面図であり、図５（ａ）はキャップと第１取り付け穴との位置関係を示す図であり、図５（ｂ）は第２突起部と第２取り付け穴との位置関係を示す図である。
【図６】図６は、テンション発生時における図５の側面図であり、図６（ａ）はキャップと第１取り付け穴との位置関係を示す図であり、図６（ｂ）は第２突起部と第２取り付け穴との位置関係を示す図である。
【図７】図７は、本発明の変形例の中継用コネクタ本体とブラケットの部分断面図である。
【図８】図８は、背景技術に係る、中継用コネクタユニットを示す斜視図であり、図８（ａ）はブラケットが中継用コネクタ本体から分離した状態を、図８（ｂ）はブラケットが中継用コネクタ本体に取り付けられた状態、図８（ｃ）は中継用コネクタ本体が引っ張られてブラケットに対して傾きが発生した状態を示している。
【発明を実施するための形態】
【００１０】
以下、本実施形態に係る中継用コネクタユニットを、図１〜３を参照して説明する。図１は、本発明の一実施形態の中継用コネクタユニットをＸ方向前方から見た斜視図であり、図２は、図１の中継用コネクタユニットをＸ方向後方から見た斜視図であり、図３は、図１の中継用コネクタユニットの分解斜視図である。なお、説明の便宜上、各図において、矢印Ｘ、矢印Ｙ、及び矢印Ｚを用いて、各部材の配設方向等を示す。これら矢印Ｘ、矢印Ｙ、及び矢印Ｚは互いに直交している。
【００１１】
図１〜３に示すように、中継用コネクタユニット１は、中継用コネクタ本体１０と、油中側メスコネクタ２０と、圧着端子付き電線３０と、ブラケット４０と、キャップ５０とを備えている。
【００１２】
中継用コネクタ本体１０は、円筒状のコネクタ嵌合部１１と、同じく円筒状のベース筒部１２とを備え、例えば合成樹脂で一体に形成されている。コネクタ嵌合部１１は、表面に嵌合用の構造が形成されており、相手側のＡ／Ｔケース等の部品の所定の接続用開口部に回転挿入され嵌合固定される。
【００１３】
ベース筒部１２は、電装部品等の所定の開口部には挿入されない部分であって、この外周領域を部分的に覆うようにブラケット４０が配置される。
【００１４】
ブラケット４０は、例えば樹脂成形品や金属加工品またはそれらの複合部材からなり、上面視で略Ｕ字形状の枠状に形成される。より具体的に説明すると、ブラケット４０は、Ｙ方向に対向する第１及び第２の壁４１、４１と、第１及び第２の壁４１、４１に直交する第３の壁４２とで形成され、第３の壁４２に対向する部分にブラケット開口４３が形成されている。
【００１５】
ブラケット４０の第１及び第２の壁４１、４１には、それぞれ縦長で矩形状の第１取り付け穴４４、４４が形成されており、さらに第１取り付け穴４４、４４に連通するガイド溝４５、４５が開口側端面４１ａ、４１ａからＸ方向に延びるように形成されている。このガイド溝４５、４５は、後述する中継用コネクタ本体１０のベース筒部１２に形成された第１突起部１３、１３を第１取り付け穴４４、４４まで案内するものであり、後述する第２突起部１６の突出方向（Ｘ方向）と平行に延びている。
【００１６】
また、ブラケット４０の第３の壁４２には、横長で矩形状の第２取り付け穴４７が形成されている。なお、第２取り付け穴４７は、第１取り付け穴４４、４４よりも上方であって、Ｚ方向において一部がオーバーラップしている（図５（ｂ）参照）。
【００１７】
第１及び第２の壁４１、４１に形成された第１取り付け穴４４、４４に対向する、中継用コネクタ本体１０のベース筒部１２には、矩形状の平坦面を有する台座部１４が形成されており、さらに台座部１４から円柱状の第１突起部１３、１３がＹ方向に突設されている。一対の第１突起部１３、１３は、ガイド溝４５、４５に案内されて第１取り付け穴４４、４４に配置される。また、中継用コネクタ本体１０のベース筒部１２には、第２取り付け穴４７に対向する位置に、第２突起部１６がＸ方向に突設されており、一対の第１突起部１３、１３が第１取り付け穴４４、４４に配置された状態において、第２突起部１６が第２取り付け穴４７に配置される。
【００１８】
一対の第１突起部１３、１３が第１取り付け穴４４、４４に配置された状態において、一対の第１突起部１３、１３には、内面に第１突起部１３、１３に嵌合するキャップ側嵌合穴５１、５１が形成された側面視で略矩形状のキャップ５０、５０が嵌合固定される。
【００１９】
続いて、中継用コネクタ本体１０とブラケット４０との組み付けについて図４も参照して説明する。中継用コネクタ本体１０をブラケット４０に組み付けるとき、中継用コネクタ本体１０とブラケット４０とが分離した図３の状態から、中継用コネクタ本体１０のベース筒部１２に形成された一対の第１突起部１３、１３を、ブラケット４０の第１及び第２の壁４１、４１に形成されたガイド溝４５、４５に挿入して、中継用コネクタ本体１０とブラケット４０とをＸ方向に相対的に近接させる方向に移動させる。これにより、図４に示すように、第１突起部１３、１３が第１取り付け穴４４、４４に配置される。このとき、第２突起部１６も第２取り付け穴４７に配置される。
【００２０】
続いて、内面に第１突起部１３、１３に嵌合するキャップ側嵌合穴５１、５１が形成された略矩形状のキャップ５０、５０を、第１突起部１３、１３に嵌合固定することで、キャップ５０、５０が第１取り付け穴４４、４４に配置される。これにより、中継用コネクタ本体１０がブラケット４０に取り付けられる。
【００２１】
続いて、中継用コネクタ本体１０がブラケット４０に取り付けられた状態における、キャップ５０、５０と第１取り付け穴４４、４４との位置関係、及び、第２突起部１６と第２取り付け穴４７との位置関係について図５を参照しながら説明する。
【００２２】
図５は、中継用コネクタ本体１０がブラケット４０に取り付けられた状態における側面図であり、図５（ａ）はキャップ５０と第１取り付け穴４４との位置関係を示す図であり、図５（ｂ）は第２突起部１６と第２取り付け穴４７との位置関係を示す図である。
【００２３】
図５（ａ）に示すように、中継用コネクタ本体１０がブラケット４０に取り付けられた状態において、キャップ５０と第１取り付け穴４４とは、キャップ側上面５０ａと第１取り付け穴側上面４４ａとの間に隙間ａが設けられ、キャップ側下面５０ｂと第１取り付け穴側下面４４ｂとの間に隙間ｂが設けられる。また、キャップ側一端面５０ｃと第１取り付け穴側一端面４４ｃとの間に隙間ｃが設けられ、キャップ側他端面５０ｄと第１取り付け穴側他端面４４ｄとの間に隙間ｄが設けられる。なお、反対側に位置するキャップ５０と第１取り付け穴４４の関係も同じ位置関係に設定されている。
【００２４】
また、図５（ｂ）に示すように、中継用コネクタ本体１０がブラケット４０に取り付けられた状態において、第２突起部１６と第２取り付け穴４７とは、第２突起部上面１６ａと第２取り付け穴側上面４７ａとの間に隙間ｅが設けられ、第２突起部下面１６ｂと第２取り付け穴側下面４７ｂとの間に隙間ｆが設けられる。また、第２突起部一端面１６ｃと第２取り付け穴側一端面４７ｃとの間に隙間ｇが設けられ、第２突起部他端面１６ｄと第２取り付け穴側他端面４７ｄとの間に隙間ｈが設けられる。
【００２５】
上記のように構成された中継用コネクタユニット１は、傾き抑制機能、調芯機能、沈み込み抑制機能を有する。以下、この傾き抑制機能、調芯機能、沈み込み抑制機能について説明する。
【００２６】
＜傾き抑制機能＞
図８（ｃ）で説明したように、圧着端子付き電線３０の配索作業にともない、中継用コネクタ本体１０が引っ張られてテンションが発生した場合、中継用コネクタ本体１０のベース筒部１２に形成された第１突起部１３、１３に取り付けられたキャップ５０、５０が回転しようとするが、キャップ５０は、図６（ａ）に示すように、キャップ５０がα°回転した時点で第１取り付け穴４４に接触し、その回転が規制される。また、図６（ｂ）に示すように、第２突起部１６も下方への移動が第２取り付け穴４７の第２取り付け穴側下面４７ｂに規制される。このようにキャップ５０と第１取り付け穴４４との隙間、及び、第２突起部１６と第２取り付け穴４７との隙間により中継用コネクタ本体１０の傾きが抑制される。なお、回転許容量αについては、キャップ５０と第１取り付け穴４４との隙間、及び、第２突起部１６と第２取り付け穴４７との隙間を適宜設定することで調整可能である。
【００２７】
＜調芯機能＞
図５（ａ）に示すように、中継用コネクタ本体１０がブラケット４０に取り付けられた状態において、Ｘ方向に沿って、キャップ側一端面５０ｃと第１取り付け穴側一端面４４ｃとの間に隙間ｃが設けられ、キャップ側他端面５０ｄと第１取り付け穴側他端面４４ｄとの間に隙間ｄが設けられる。したがって、キャップ５０は設計中心点からＸ方向両側に所定量（隙間ｃ、ｄだけ）移動可能である。つまり、これらの隙間ｃ、ｄがあることで、中継用コネクタ本体１０のＸ方向の調芯が可能となる。
【００２８】
また、図５（ｂ）に示すように、中継用コネクタ本体１０がブラケット４０に取り付けられた状態において、Ｙ方向に沿って、第２突起部一端面１６ｃと第２取り付け穴側一端面４７ｃとの間に隙間ｇが設けられ、第２突起部他端面１６ｄと第２取り付け穴側他端面４７ｄとの間に隙間ｈが設けられる。したがって、第２突起部１６は設計中心点からＹ方向両側に所定量（隙間ｇ、ｈだけ）移動可能である。つまり、これらの隙間ｇ、ｈがあることで、中継用コネクタ本体１０のＹ方向の調芯が可能となる。
【００２９】
また、図５（ａ）に示すように、中継用コネクタ本体１０がブラケット４０に取り付けられた状態において、Ｚ方向に沿って、キャップ側上面５０ａと第１取り付け穴側上面４４ａとの間に隙間ａが設けられ、キャップ側下面５０ｂと第１取り付け穴側下面４４ｂとの間に隙間ｂが設けられる。また、図５（ｂ）に示すように、中継用コネクタ本体１０がブラケット４０に取り付けられた状態において、Ｚ方向に沿って、第２突起部１６と第２取り付け穴４７とは、第２突起部上面１６ａと第２取り付け穴側上面４７ａとの間に隙間ｅが設けられ、第２突起部下面１６ｂと第２取り付け穴側下面４７ｂとの間に隙間ｆが設けられる。したがって、キャップ５０は設計中心点からＺ方向両側に所定量（隙間ａ、ｂだけ）移動可能である。また、第２突起部１６は設計中心点からＺ方向両側に所定量（隙間ｅ、ｆだけ）移動可能である。つまり、これらの隙間ａ、ｂ及び隙間ｅ、ｆがあることで、中継用コネクタ本体１０のＹ方向の調芯が可能となる。なお、隙間ａと隙間ｅは同じにしてもよく、違う値に設定してもよい。隙間ｂと隙間ｆについても同様である。
【００３０】
＜沈み込み抑制機能＞
上記したように、中継用コネクタ本体１０がブラケット４０に取り付けられた状態において、Ｚ方向に沿って、キャップ側下面５０ｂと第１取り付け穴側下面４４ｂとの間に隙間ｂが設けられる。また、図５（ｂ）に示すように、中継用コネクタ本体１０がブラケット４０に取り付けられた状態において、Ｚ方向に沿って、第２突起部下面１６ｂと第２取り付け穴側下面４７ｂとの間に隙間ｆが設けられる。したがって、これらの対向面が当接することで、中継用コネクタ本体１０の沈み込みを抑制することができる。
【００３１】
これらの調芯機能を有する中継用コネクタユニット１によって、作業者が中継用コネクタユニット１を所定の電装部品に組み付ける作業を行う際に、作業性の向上を実現できる。つまり、従来技術と比較して慎重な作業が求められないことから、作業者のミスやストレスを低減させることができる。
【００３２】
以下では、実施形態に係る中継用コネクタユニット１について纏める。
（１）  実施形態に係る中継用コネクタユニット１は、電線群を備える油中側メスコネクタ２０が接続される中継用コネクタ本体１０と、中継用コネクタ本体１０の油中側メスコネクタ２０が接続される側を覆うように配置されるブラケット４０と、を有する。ブラケット４０は、対向する第１及び第２の壁４１、４１のそれぞれに形成された第１取り付け穴４４、４４と、第１及び第２の壁４１、４１に直交する第３の壁４２に形成された第２取り付け穴４７と、を有する。中継用コネクタ本体１０は、筒状の外周面に、第１取り付け穴４４、４４に配置される一対の第１突起部１３、１３と、第２取り付け穴４７に配置される第２突起部１６と、を有する。第１取り付け穴４４、４４には、第１突起部１３、１３が第１取り付け穴４４、４４に配置された状態で第１突起部１３、１３を覆うキャップ５０、５０が配置される。
（２）また、実施形態に係る中継用コネクタユニット１では、第１取り付け穴４４、４４とキャップ５０、５０との間、及び、第２取り付け穴４７と第２突起部１６との間には、所定量だけ移動可能となるように隙間ａ〜ｈが設けられている。
（３）また、実施形態に係る中継用コネクタユニット１では、第１取り付け穴４４、４４には、中継用コネクタ本体１０の第２突起部１６の突出方向と平行に延びて、中継用コネクタ本体１０の第１突起部１３、１３を案内するガイド溝４５、４５が連通する。
【００３３】
以上、本発明を実施形態をもとに説明した。この実施形態は例示であり、それらの各構成要素及びその組合せにいろいろな変形例が可能なこと、またそうした変形例も本発明の範囲にあることは当業者に理解されるところである。
例えば、第１突起部１３、第２突起部１６、第１取り付け穴４４及び第２取り付け穴４７の形状は矩形状に限らず、任意の形状を採用することができる。
また、第１突起部１３、１３をＹ方向に進退可能とすることで、ガイド溝４５、４５を省略してもよい。
【００３４】
また、上記実施形態では、ブラケット４０の第３の壁４２に第２取り付け穴４７が形成され、中継用コネクタ本体１０のベース筒部１２に第２取り付け穴４７に配置される第２突起部１６が突設されていたが、図７に示すように、中継用コネクタ本体１０のベース筒部１２にコネクタ側取り付け穴（凹部）１７を形成し、ブラケット４０の第３の壁４２にこのコネクタ側取り付け穴１７に配置されるブラケット側突起部４８を突設してもよい。なお、このブラケット側突起部４８は、ブラケット４０をプレス成形する場合に切り起こして形成することができる。
【００３５】
この変形例に係る中継用コネクタユニットについて纏めると、以下のようになる。
（４）  この変形例に係る中継用コネクタユニットは、電線群を備える油中側メスコネクタ２０が接続される中継用コネクタ本体１０と、中継用コネクタ本体１０の油中側メスコネクタ２０が接続される側を覆うように配置されるブラケット４０と、を有する。ブラケット４０は、対向する第１及び第２の壁４１、４１のそれぞれに形成された第１取り付け穴４４、４４（ブラケット側取り付け穴）と、第１及び第２の壁４１、４１に直交する第３の壁４２に形成されたブラケット側突起部４８と、を有する。中継用コネクタ本体１０は、筒状の外周面に、第１取り付け穴４４、４４に配置される一対の第１突起部１３、１３（コネクタ側突起部）と、上記したブラケット側突起部４８を収容するコネクタ側取り付け穴１７と、を有する。第１取り付け穴４４、４４には、第１突起部１３、１３が第１取り付け穴４４、４４に配置された状態で第１突起部１３、１３を覆うキャップ５０、５０が配置される。
【符号の説明】
【００３６】
１        中継用コネクタユニット
１０      中継用コネクタ本体（中継用コネクタ）
１３      第１突起部
１６      第２突起部
１７      コネクタ側取り付け穴
２０      油中側メスコネクタ（コネクタ）
４０      ブラケット
４１      第１及び第２の壁
４２      第３の壁
４４      第１取り付け穴
４５      ガイド溝
４７      第２取り付け穴
４８      ブラケット側突起部
５０      キャップ
【図１】
2015050163.tif 000003
【図２】
2015050163.tif 000004
【図３】
2015050163.tif 000005
【図４】
2015050163.tif 000006
【図５】
2015050163.tif 000007
【図６】
2015050163.tif 000008
【図７】
2015050163.tif 000009
【図８】
2015050163.tif 000010